(57)【要約】  固定要素（１０）と、可動要素（１１）と、スライダ（３０，６０）とを備えるヒンジ装置。固定要素（１０）および可動要素（１１）の一方は、スライダ（３０，６０）をスライド可能に収容する作動チャンバ（２０）を含み、固定要素（１０）および可動要素（１１）の他方は、スライダ（３０，６０）に相互連結されたピボット（５０）を含み、可動要素（１１）の回転がスライダ（３０，６０）のスライド動作に対応しており、その逆も同じである。作動チャンバ（２０）は、閉止キャップ（２７）および作動流体を含む。スライダ（３０，６０）は、相互に流体連通する、好適には隣接する、第１および第２可変容積コンパートメント（２３，２４）に作動チャンバ２０を分割するプランジャ部材（３０）を含む。プランジャ部材（３０）は、第１バルブ手段（３２）を備える。第１ダクト（１２０）は、第１および第２コンパートメント（２３，２４）の両方と流体連通する閉止キャップ（２７）を貫通する。ダクト（１２０）は、作動流体の選択的な通過のための少なくとも１つの第１開口（１２１）を含む。少なくとも１つの閉止キャップ（２７）は、少なくとも１つの第１開口を常閉状態に保つように少なくとも１つの第１開口（１２１）と相互作用するバルブ手段（２００）をさらに含む。バルブ手段（２００）および少なくとも１つのプランジャ部材（３０）は、少なくとも１つのプランジャ部材３０のストロークの第１部分のために、相互に離間したままであるような、またプランジャ部材３０のストロークの第２部分のために、プランジャ部材がバルブ手段（２００）に作用して前記少なくとも１つの第１開口（１２１）を開くような、位置関係であり、その結果、閉鎖要素（Ｄ）は開または閉位置に向けてラッチする。【選択図】図１Ｃ
2019513927.tif 000002
【特許請求の範囲】
【請求項１】
壁部またはフレームなどの静止支持構造体（Ｓ）に固定された扉、シャッタその他の類似物等の閉鎖要素（Ｄ）を、閉動作および／または開動作中に、回転可能に動作させおよび／または制御するためのヒンジ装置であって、前記ヒンジ装置は、
前記静止支持構造体（Ｓ）に固定可能な固定要素（１０）と、
前記閉鎖要素（Ｄ）に固定可能な可動要素（１１）であって、前記可動要素（１１）と前記固定要素（１０）とが開位置と閉位置の間で前記第１長手軸（Ｘ）の周囲を回転するように相互に連結されている、可動要素（１１）と、
前記閉位置と開位置の一方に対応する第１端部ストローク位置と、前記閉位置と開位置の他方に対応する第２端部ストローク位置との間で、第２軸（Ｘ）に沿ってスライド可能な少なくとも１つのプランジャ部材（３０）と、を含み、
前記固定要素（１０）と可動要素（１１）の一方は、前記少なくとも１つのプランジャ部材（３０）をスライド可能に収容する、前記第２長手軸（Ｘ）を画定する少なくとも１つの作動チャンバ（２０）を備えており、前記少なくとも１つの作動チャンバ（２０）は少なくとも１つの閉止キャップ（２７）を含んでおり、
前記少なくとも１つの作動チャンバ（２０）は、前記少なくとも１つのプランジャ部材（３０）の前記作用に液圧的に対抗するために前記少なくとも１つのプランジャ部材（３０）に作用する作動流体を含んでおり、前記少なくとも１つのプランジャ部材（３０）は、前記作動チャンバ（２０）を、相互流体連通し且つ好適には隣接している少なくとも１つの第１可変容積コンパートメント（２３）と第２可変容積コンパートメント（２４）とに分割し、前記プランジャ部材（３０）は、前記閉鎖要素（Ｄ）の開動作または閉動作の一方の間、前記第１コンパートメント（２３）と前記第２コンパートメント（２４）との間で前記作動流体を流通させ、液圧回路（１００）が設けられており、前記液圧回路（１００）は、前記閉鎖要素（Ｄ）の前記開動作および閉動作の他方の間、前記第１コンパートメント（２３）と前記第２コンパートメント（２４）との間で前記作動流体を流通させ、
前記液圧回路（１００）は、前記作動流体の選択的流通のための少なくとも１つの第１開口（１２１）を備える、前記少なくとも１つの閉止キャップ（２７）を貫通する少なくとも１つのダクト（１２０）を含み、前記少なくとも１つの閉止キャップ（２７）は、前記少なくとも１つの第１開口（１２１）と相互作用し、前記少なくとも１つの第１開口（１２１）を常時閉状態に保つバルブ手段（２００）をさらに含み、前記バルブ手段（２００）および前記少なくとも１つのプランジャ部材（３０）は、前記少なくとも１つのプランジャ部材（３０）の前記ストロークの第１部分のために、相互に離隔したままであるよう、また、前記プランジャ部材（３０）の前記ストロークの第２部分のために、前記プランジャ部材が前記バルブ手段（２００）に作用して前記少なくとも１つの第１開口（１２１）を開くような空間的関係であり、その結果、前記閉鎖要素（Ｄ）が前記開または閉位置に向かってラッチする、
ヒンジ装置。
【請求項２】
前記バルブ手段（２００）は、前記少なくとも１つの第１開口（１２１）と常時係合する少なくとも１つのストッパ（２１０）を含み、前記少なくとも１つのプランジャ部材（３０）は、その前記ストロークの第２部分の間に、前記少なくとも１つのストッパ（２１０）に作用して、前記少なくとも１つの第１開口（１２１）から前記ストッパを係合解除する、請求項１に記載の装置。
【請求項３】
前記ストッパ（２１０）は、前記少なくとも１つの第１開口（１２１）が閉鎖しているとき、前記第１コンパートメント（２３）および第２コンパートメント（２４）の前記一方に配置できる第１端部分（２１３）を含み、前記第１端部分（２１３）は、前記少なくとも１つのプランジャ部材の前記ストロークの前記第２部分の間に、前記少なくとも１つのプランジャ部材（３０）とさらに相互作用できる、請求項２に記載の装置。
【請求項４】
前記ストッパ（２１０）は、前記少なくとも１つの第１開口（１２１）が閉鎖しているとき、前記少なくとも１つのダクト（１２０）を通して前記第１コンパートメント（２３）および第２コンパートメント（２４）を流体連通状態に維持するチャネル（２１７）を含む、請求項２または３に記載の装置。
【請求項５】
前記チャネル（２１７）は、前記第１端部分（２１３）に、前記第１コンパートメント（２３）および第２コンパートメント（２４）のうちの前記一方と流体連通する第１ポート（２１８）と、前記少なくとも１つのダクト（１２０）と流体連通する第２ポート（２１９）とを含む、請求項３および４に記載の装置。
【請求項６】
前記バルブ手段（２００）は、前記少なくとも１つのストッパ（２１０）に作用する少なくとも１つのスプリング（２０１）を含む、請求項２から５の１つまたは複数の項に記載の装置。
【請求項７】
前記少なくとも１つのダクト（１２０）は、前記バルブ手段（２００）を少なくとも部分的に受容するための座部（１２３）を有し、前記座部（１２３）は前記少なくとも１つの第１開口（１２１）を含み、前記ストッパ（２１０）は、前記座部（１２３）にスライド可能に挿入された、前記第２長手軸（Ｘ）と略平行な第３長手軸（Ｘ’）を画定する長形本体（２１１）を含み、前記長形本体（２１１）は、前記第１端部分（２１３）と、前記座部（１２３）の対応する相補的形状部分（１２４）に連結して前記少なくとも１つの第１開口（１２１）を閉鎖することができる中央成形部分２１２と、前記スプリング（２０１）と相互作用する第２端部分（２１４）とを含む、請求項３から６の１つまたは複数の項に記載の装置。
【請求項８】
前記少なくとも１つの閉止キャップ（２７）は、前記座部（１２３）に対応する少なくとも１つの貫通孔（１２４’）を含み、前記長形本体（２１１）は、前記少なくとも１つの貫通孔（１２４’）に封止的に挿入され、前記少なくとも１つの貫通孔は前記少なくとも１つのスプリング（２０１）をさらに収容する、請求項１から７のいずれか一項に記載の装置。
【請求項９】
前記少なくとも１つの閉止キャップ（２７）は、前記少なくとも１つのダクト（１２０）と相互作用する第１端部（１０４）と、開位置または閉位置に向かう前記閉鎖要素（Ｄ）のラッチ力を調整するように、前記作動流体が通る前記流通断面積を調整するために使用者が外部から操作可能な第２端部（１０５）とを有する少なくとも１つの第１調整要素（１０３）をさらに含む、請求項１から８のいずれか一項に記載の装置。
【請求項１０】
前記少なくとも１つの閉止キャップ（２７）は、前記少なくとも１つの作動チャンバ（２０）内に延在する長形管状壁部（２８）を含み、前記長形管状壁部（２８）は、前記少なくとも１つの閉止キャップ（２７）と一体であり、前記少なくとも１つの作動チャンバ（２０）内の前記少なくとも１つの閉止キャップの挿入が、前記液圧回路（１００）を画定し、前記液圧回路（１００）は、専ら、前記作動チャンバ（２０）と前記長形管状壁部（２８）との間の間隙と、前記少なくとも１つの閉止キャップ（２７）を貫通する前記少なくとも１つのダクト（１２０）とから成る、請求項１から９のいずれか一項に記載の装置。
【発明の詳細な説明】
【技術分野】
【０００１】
本発明は概して、扉、シャッタその他の類似した閉要素のための閉ヒンジおよび／または制御ヒンジの技術分野に適用が可能であり、壁部またはフレームなどの静止支持構造体に固定される、特に、扉、シャッタ、等々である閉鎖要素を、開動作および／または閉動作中に回転可能に作動および／または制御するためのヒンジ装置に関する。
【背景技術】
【０００２】
知られているように、ヒンジは概して、通常は支持フレームに、あるいは壁部および／または床部に固定されている固定要素にヒンジ式に取り付けられている扉、シャッタなどに通常固定されている可動要素を含んでいる。
【０００３】
特許文献１、特許文献２および特許文献３から、閉位置へのシャッタの戻りを確実にする閉鎖手段の作用が明白であるヒンジは知られている。特許文献４から、閉鎖手段の作用に対抗する液圧式減衰手段を含んだ扉閉鎖機構は知られている。
【０００４】
そのような知られた装置は程度の差はあれ嵩高く、その結果、見栄えが良くない。加えて、それらは扉の閉鎖速度および／またはラッチ閉じの調節が可能ではなく、あるいは、たとえ調節が可能であったとしても、簡単且つ迅速な調節は可能ではない。
【０００５】
さらに、そのような知られた装置は数多くの構成部品を有しており、よって、頻繁な保守を必要とすることに加えて、製造が困難であり、比較的に高価である。
【０００６】
他のヒンジは、特許文献５、特許文献６、特許文献７、特許文献８、特許文献９、特許文献１０、特許文献１１、特許文献１２、特許文献１３、特許文献１４、特許文献１５、特許文献１６、特許文献１７、特許文献１８よび特許文献１９から公知である。
【０００７】
特許文献２０、特許文献２１および特許文献２２からまた、液圧回路がそのヒンジの閉止キャップ内に少なくとも部分的に収納されているような液圧式ヒンジが知られている。
【０００８】
このような既知のヒンジは、サイズおよび／または信頼性および／または性能に関して改善する余地がある。
【先行技術文献】
【特許文献】
【０００９】
【特許文献１】ＵＳ７３０５７９７
【特許文献２】ＵＳ２００４／２０６００７
【特許文献３】ＥＰ１９９７９９４
【特許文献４】ＥＰ０４０７１５０
【特許文献５】ＧＢ１９４７７
【特許文献６】ＵＳ１４２３７８４
【特許文献７】ＧＢ４０１８５８
【特許文献８】ＷＯ０３／０６７０１１
【特許文献９】ＵＳ２００９／２４１２８９
【特許文献１０】ＥＰ０２５５７８１
【特許文献１１】ＷＯ２００８／５０９８９
【特許文献１２】ＥＰ２２４１７０８
【特許文献１３】ＣＮ１０１７０５７７５
【特許文献１４】ＧＢ１５１６６２２
【特許文献１５】ＵＳ２０１１００４１２８５
【特許文献１６】ＷＯ２００７１３７７６
【特許文献１７】ＷＯ２００６３６０４４
【特許文献１８】ＷＯ２００６０２５６６３
【特許文献１９】ＵＳ２００４０２５０３７７
【特許文献２０】ＧＢ３９６６７３
【特許文献２１】ＷＯ２０１１／１４１８８０
【特許文献２２】ＥＰ０２１５２６４
【発明の概要】
【００１０】
本発明の目的は、高い機能性を有し、構造が単純で、低価格であるヒンジ装置を提供することで、上述の欠点を少なくとも部分的に克服することである。
【００１１】
本発明の別の目的は、製造が非常に容易である液圧（油圧）式ヒンジ装置を提供することである。
【００１２】
本発明の別の目的は、非常に安全な液圧式ヒンジ装置を提供することである。
【００１３】
本発明の別の目的は、小型の（嵩が低い）液圧式ヒンジ装置を提供することである。
【００１４】
本発明の別の目的は、開くときおよび／または閉じるときに、取り付け先の扉の制御された動作を確実にする液圧式ヒンジ装置を提供することである。
【００１５】
本発明の別の目的は、最小数の構成部品を有する液圧式ヒンジ装置を提供することである。
【００１６】
本発明の別の目的は、設置が非常に容易である液圧式ヒンジ装置を提供することである。
【００１７】
本発明の別の目的は、右開き及び左開きの両方を有する閉鎖要素に取り付けられ得る液圧式ヒンジ装置を提供することである。
【００１８】
そのような目的および以下でさらに明確に説明されている他の目的は、ここに解説されている、および／または請求項において請求されている、および／または図示されている特徴の１以上を有したヒンジ装置によって達成される。
【００１９】
本発明の有利な実施形態は、添付の請求項に従って定義される。
【図面の簡単な説明】
【００２０】
本発明の更なる特徴および利点は、添付の図面の補助により限定されない例として示される、ヒンジ装置１のいくつかの好適ではあるが排他的ではない実施例の詳細な説明を読むことによって、より明白になるであろう。
【００２１】
【図１Ａ】開扉位置にあるヒンジ装置１の一実施形態の上面図である。
【図１Ｂ】図１ＡのＩＢ−ＩＢ平面に沿った断面図である。
【図１Ｃ】図１Ｂのいくつかの詳細の拡大図である。
【図２Ａ】別の開扉位置にあるヒンジ装置１の一実施形態の上面図である。
【図２Ｂ】図２ＡのＩＩＢ−ＩＩＢ平面に沿った断面図である。
【図２Ｃ】図２Ｂのいくつかの詳細の拡大図である。
【図３Ａ】閉扉位置にあるヒンジ装置１の一実施形態の上面図である。
【図３Ｂ】図３ＡのＩＩＩＢ−ＩＩＩＢ平面に沿った断面図である。
【図３Ｃ】図３Ｂのいくつかの詳細の拡大図である。
【図４】閉止キャップ２７の実施形態の不等角投影図である。
【発明を実施するための形態】
【００２２】
上述の図を参照すると、ヒンジ装置１は、壁および／または扉若しくは窓のフレームおよび／または支柱および／または床などの静止支持構造体Ｓに固定され得る扉、シャッタ、門等の閉鎖要素Ｄの回転可能な移動および／または制御に特に役立つ。
【００２３】
ヒンジ装置１は、液圧式であってもよい。構成に応じて、特に弾性対抗手段４０の存在または不存在に応じて、ヒンジ装置１は専ら、それが連結されている閉鎖要素Ｄの開動作および／若しくは閉動作時、または開位置からの閉鎖要素Ｄのそのような最終動作および自動閉動作時の制御を可能にする。
【００２４】
後者の場合、弾性手段４０は、比較的高負荷のスラストスプリングを含むことができる。しかしながら、弾性手段４０が存在するけれども、弾性手段４０は、負荷が自動閉鎖動作を許容しない比較的低負荷の対抗スプリングを含んでいてもよい。
【００２５】
概して、ヒンジ装置１は、静止支持構造体Ｓに固定された固定要素１０と、閉鎖要素Ｄに固定された可動要素１１とを含むことができる。
【００２６】
好ましくは、ヒンジ装置１は本出願人のＰＣＴ／ＩＢ２０１２／０５１７０７、ＰＣＴ／ＩＢ２０１３／０５９１２０、ＰＣＴ／ＩＢ２０１３／０５９１２１およびＶＩ２０１３Ａ０００２４５の１つ以上の教示に従って形態化できる。
【００２７】
特に、好適ではあるが排他的ではない１実施例において、ヒンジ装置１の固定要素１０と可動要素１１は、例えば図２ａと図６ａに示す開位置と、例えば図１ａと図５ａに示す閉位置との間にて長手軸Ｘの周囲で回転するように相互に連結された第１管状半殻部１２と第２管状半殻部１３とを備えたヒンジ本体１８を含むことができる。
【００２８】
好適には、固定要素１０と可動要素１１は、静止支持構造体Ｓを閉鎖要素Ｄへ固定するために、第１管状半殻部１２と第２管状半殻部１３にそれぞれ接続されている第１固定翼部１４および第２固定翼部１５をそれぞれ含むことができる。
【００２９】
好適には、ヒンジ装置１は「Ａｎｕｂａ」タイプのヒンジとして構成できる。
【００３０】
より具体的には、ヒンジ装置１は、特許出願ＰＣＴ／ＩＢ２０１１／０５１６８８、ＰＣＴ／ＩＢ２０１２／０５１７０７、ＰＣＴ／ＩＢ２０１３／０５９１２０、ＰＣＴ／ＩＢ２０１３／０５９１２１および／またはＰＣＴ／ＩＢ２０１４／０６５０７８の１つ以上の教示に従って少なくとも部分的に製造されてもよい。
【００３１】
有利には、固定翼部１４と１５を除いて、ヒンジ装置１の全ての他の部材は第１管状半殻部１２内と第２管状半殻部１３内に含まれ得る。
【００３２】
特に、固定された第１管状半殻部１２は、軸Ｘを画定する作動チャンバ２０と、作動チャンバ２０内でスライドするプランジャ部材３０とを含むことができる。好適には、作動チャンバ２０は管状半殻部１２に挿入された閉止キャップ２７によって底部にて閉じられ得る。
【００３３】
添付の特許請求の範囲の保護の範囲から逸脱することなく、固定要素および可動要素の回転軸ならびにプランジャ部材のスライド軸は、それらの間で平行、垂直または一致してもよいことが理解される。
【００３４】
さらに、固定された第１管状半殻部１２は、プランジャ部材３０の作用に液圧的に対抗するためにプランジャ部材３０に作用する、一般的にはオイルである作動流体を含むことができる。好適にはさらに、固定された第１管状半殻部１２は、プランジャ部材３０に作用する、圧縮螺旋スプリング４１などの弾性対抗手段４０を含むことができる。
【００３５】
好適には、アクチュエータとして有利に機能できるピボット５０を作動チャンバ２０の外側に作動チャンバ２０と同軸に設けることができる。
【００３６】
図１Ａから図３Ｂにて示す、好適ではあるが排他的ではない実施例においては、ピボット５０は、以降に説明するように、ヒンジ本体１８の内壁８３に対応して実現された支持部分８４によって支持できる。
【００３７】
ピボット５０の端部分５１は、そのピボットと、可動な第２管状半殻部１３との間での、好適には取り外し可能なタイプの同軸的な連結を可能にし、可動な第２管状半殻部１３の開位置と閉位置との間で、第２管状半殻部１３とピボット５０とを一体的に回転させる。
【００３８】
好適には、プランジャ部材３０とピボット５０とは長形筒状要素６０によって動作可能に接続することができ、軸Ｘ周囲でのピボット５０の回転は、軸Ｘに沿ったプランジャ部材３０のスライド動作に対応しており、その逆も同じである。
【００３９】
この目的で、長形筒状要素６０は、プランジャ部材３０に相互に接続された第１端部分６１と、ピボット５０の管状体５２の内部でスライド可能な第２端部分６２とを含むことができる。
【００４０】
長形筒状要素６０とプランジャ部材３０との間の接続は、それらの要素を一体化させることができ、それら要素は軸Ｘに沿って可動なスライダを画定することができる。
【００４１】
従って、長形筒状要素６０はプランジャ部材３０と一体的に軸Ｘに沿ってスライドすることができる。好適には、長形筒状要素６０とピボット５０は相互に（入れ子状に）伸縮自在に連結できる。
【００４２】
さらに、各プランジャ部材３０と共に、長形筒状要素６０は、軸Ｘに沿ったスライド中に軸Ｘの周囲での回転を回避するために、作動チャンバ２０内で回転阻止されることができ、または阻止されないようにすることができる。このことはブッシュ８０のガイドカムスロット８１の構成に応じて発生する。
【００４３】
従って、ピボット５０に関して、プランジャ部材３０は、可動な第２管状半殻部１３の開位置と閉位置の一方に対応しているピボット５０に近い端部ストローク位置と、可動な第２管状半殻部１３の開位置と閉位置の他方に対応しているピボット５０から遠い端部ストローク位置との間で軸Ｘに沿ってスライドできる。
【００４４】
プランジャ部材３０とピボット５０との間の相互動作を可能にするため、ピボット５０の管状体５２は、角度的に１８０°に離隔した互いに同一である少なくとも１対の溝部７０’、７０’’を含むことができ、少なくとも１対の溝部７０’、７０’’それぞれは、軸Ｘの周囲に巻き付けられた少なくとも１つの螺旋部を含んでいる。溝部７０’、７０’’は１つの貫通アクチュエータ要素７２を画定するよう連通することができる。
【００４５】
好適には、その少なくとも１つの螺旋部は任意の傾きを有することができ、右巻きまたは左巻きを有すことができる。好適には、その少なくとも１つの螺旋部は軸Ｘの周囲を少なくとも９０°展開でき、好適にはさらに大きく、少なくとも１８０°展開できる。
【００４６】
好適ではあるが排他的ではない１実施例では、溝部７０’と７０’’のそれぞれは、一定の傾きまたは螺旋ピッチを有することができる１つの螺旋部のみから成ることができる。
【００４７】
好適には、アクチュエータ要素７２を貫通してスライドするプラグ７３のための２つの遮蔽端部を有した閉通路を画定するよう、アクチュエータ要素７２は両端部で閉じられることができ、その閉通路は溝部７０’、７０’’により画定されている。
【００４８】
位置または形態には関係なく、軸Ｘの周囲を回転するアクチュエータ貫通要素７２はピボット５０とプランジャ部材３０との間の相互動作を可能にする。
【００４９】
そのような回転を案内するため、ガイド管状ブッシュ８０がピボット５０の管状体５２の外側に同軸で配置できる。ガイドブッシュ８０は角度的に１８０°の離隔された１対のカムスロット８１を含むことができる。
【００５０】
添付の図に示されている好適ではあるが排他的ではない実施例において、ガイドブッシュ８０は管状半殻部１２と一体であるが、そのような部品は、添付の特許請求の保護の範囲から逸脱することなく連結された２つの分離した部品であってもよいことが分かる。
【００５１】
ピボット５０、長形要素６０およびガイドブッシュ８０の間の相互接続を可能にするために、長形要素６０の第２端部分６２は、貫通アクチュエータ要素７２内とカムスロット８１内に挿入された、カムスロット８１内でスライドするプラグ７３を含むことができる。
【００５２】
従って、プラグ７３の長さは、この機能を達成させる長さにすることができる。よって、貫通アクチュエータ要素７２の回転時に、プラグ７３は貫通アクチュエータ要素７２によって移動され、カムスロット８１によって案内される。
【００５３】
カムスロット８１の形状にかかわらず、貫通アクチュエータ要素７２を貫通してスライドするプラグ７３のための２つの端部遮蔽点を有した閉通路を画定するよう、貫通アクチュエータ要素７２は両端で閉じられ得る。
【００５４】
動作部品間の摩擦を最小化するため、ピボット５０とブッシュ８０の支持部分８４との間に配置された、例えば環状ベアリング１１０などの少なくとも１つの減摩要素を設けることができる。
【００５５】
事実、上述したように、上記の形態のおかげでプラグ７３は下方に引っ張られ、プラグ７３と共にピボット５０が引きずられ、ピボット５０は最小の摩擦を伴ってベアリング１１０上で軸Ｘの周囲を回転する。
【００５６】
さらに、ブッシュ８０と第２管状半殻部１３との間に配置された、例えば別の環状ベアリング１１２などの少なくとも１つの別の減摩要素が設けられていてもよく、第２管状半殻部１３は環状ベアリング１１２上で軸Ｘの周囲を回転する。
【００５７】
従って、環状ベアリング１１２はブッシュ８０の上方部分に載っており、ピボット５０は軸Ｘ周りでの回転中に閉鎖要素の重量によって影響を受けることはない。
【００５８】
好適にはさらに、ブッシュ８０と第２管状半殻部１３とは、一旦、ブッシュ８０に連結された第２管状半殻部１３が、例えば０．数ミリ（１０分の数ミリ）程度の距離で第１管状半殻部１２から離隔されたままとなるよう、空間的相互関係で存在できる。
【００５９】
上述したようにヒンジ装置１は、例えばオイルである作動流体を含むことができる。
【００６０】
有利には、作動流体の流出を回避するために、例えば１つ以上のＯリングなどの１つ以上の封止要素２２を設けることができる。
【００６１】
プランジャ部材３０は、相互に流体連通する、好適には隣接する、少なくとも２つの可変容積コンパートメント２３、２４に作動チャンバ２０を分割可能である。好適には、弾性対抗手段４０が存在する場合には、弾性対抗手段４０は可変容積コンパートメント２３内に挿入できる。
【００６２】
好適ではあるが排他的ではない第１の実施例において、弾性対抗手段４０はピボット５０とプランジャ部材３０との間に配置できる。例えば弾性対抗手段４０は長形要素６０上に装着されるスプリングを含むことができる。
【００６３】
コンパートメント２３と２４との間で作動流体を流通させるため、プランジャ部材３０は、貫通開口３１と、バルブ手段とを備え、バルブ手段は、軸Ｘに沿って軸方向に移動するように好適なハウジング３４に最小の遊びで挿入されたディスク３３を含むことができる。ディスク３３とハウジング３４との組み合わせは作動流体を遮断する逆止バルブ３２を画定している。
【００６４】
逆止バルブが組み付けられる方向に応じて、閉鎖要素Ｄの開動作と閉動作の一方の間にコンパートメント２３とコンパートメント２４の間で作動流体を流通させ、その開動作と閉動作の他方の間に作動流体の逆流を阻止するよう、逆止バルブは閉鎖要素Ｄの開動作または閉動作時に開いてもよい。
【００６５】
閉鎖要素Ｄの開動作と閉動作の他方の間のコンパートメント２３とコンパートメント２４との間の作動流体の制御された逆流状態を達成するため、適した液圧（油圧）回路１００が利用できる。
【００６６】
好適には、プランジャ部材３０は作動チャンバ２０内に封止挿入され且つ内側壁２５に対面した筒状体を含むまたは筒状体のみから成ることができる。
【００６７】
さらに液圧回路１００は、閉止キャップ２７を貫通するダクト１２０を含むことができ、ダクト１２０は、コンパートメント２４と流体連通する開口１２１と、コンパートメント２３と流体連通する開口１２２とを含むことができる。
【００６８】
さらに、液圧回路１００は、コンパートメント２３および２４と流体連通にするように閉止キャップ２７を貫通するダクト１５０および１３０をさらに含むことができる。
【００６９】
好適には、閉止キャップ２７は、作動チャンバ２０内の圧力ＰＣが所定の閾値ＰＴを超えたとき、選択的に開くようにダクト１３０に作用するバルブ手段１４０をさらに含んでいてもよい。
【００７０】
ヒンジ装置１を取り付ける閉鎖要素Ｄの完全性を保護するため、閾値ＰＴは、開動作および／または閉動作を行う使用者による閉鎖要素Ｄの外れを回避するためにキャリブレーション（校正）され得る。実際には、ダクト１３０は、バルブ手段１４０と協働して、ヒンジ装置１のための過圧バルブを画定する。
【００７１】
好適には、バルブ手段１４０は、国際出願ＰＣＴ／ＩＢ２０１５／０５７６２５の教示に従って製造されてもよく、参考のために参照される。
【００７２】
一方、調整要素１７０はダクト１５０に挿入することができ、調整要素１７０はダクト１５０と相互作用する端部１７１と、作動流体が通る流通セクションを調整するために使用者が外部から操作可能な端部１７２とを有する。
【００７３】
適切には、調整要素１７０は、国際出願ＰＣＴ／ＩＢ２０１５／０５７６２５の教示に従って製造されてもよく、参考のために参照される。より詳細には、調整要素１７０は、閉鎖要素Ｄの閉／開速度を調整することができる。
【００７４】
添付の図面は、３つのダクト１２０、１３０および１５０を含む閉止キャップ２７の実施形態を示しているが、閉止キャップ２７は、添付の特許請求の範囲の保護の範囲から逸脱することなく、ダクト１２０のみ、またはダクト１２０およびダクト１３０もしくは１５０のうちの１つのみ、または他のダクトを含むことができることが分かる。
【００７５】
好適ではあるが排他的でない実施例において、閉止キャップ２７は、作動チャンバ２０の内部に延在する長形管状壁部２８を含むことができる。この場合、液圧回路１００は、作動チャンバ２０と閉止キャップ２７の長形管状壁部２８との間に管状間隙２９を含むことができる。
【００７６】
好適には、プランジャ部材３０は長形管状壁部２８に封止挿入され、長形管状壁部２８は所定の公差で作動チャンバ２０に挿入することができ、長形管状壁部２８と作動チャンバ２０との間に管状間隙２９が間に画定される。
【００７７】
好適には、長形管状壁部２８の長さは、コンパートメント２４が長形管状壁部２８の内部に画定されるように、プランジャ部材のストローク以上であってもよい。より詳細には、コンパートメント２４は、プランジャ部材３０によって画定される上壁部と、閉止キャップ２７によって画定される底壁部と、キャップ２７の長形管状壁部２８によって画定される側壁部とを有することができる。
【００７８】
好適には、長形管状壁部２８は、ヒンジ本体１８内の閉止キャップ２７のねじ込みが液圧回路１００を画定するよう、閉止キャップ２７に一体的に連結され得る。実際には、液圧回路１００は、専ら、作動チャンバ２０と長形管状壁部２８との間の空洞２９と、ダクト１２０、１３０および１５０とから成る。
【００７９】
プランジャ部材３０と長形管状壁部２８は互いに封止挿入され、作動チャンバ２０および長形管状壁部２８が空洞２９を画定するので、空洞２９−ダクト１２０、空洞２９−ダクト１３０および空洞２９−ダクト１５０の組立体はそれぞれの独立した液圧回路を画定する。
【００８０】
好適であるが排他的ではない実施例において、例えば扉が開くときに作動チャンバ２０が加圧されると、バルブ手段３２が開いて作動流体をコンパートメント２３からコンパートメント２４に流通させる。一方、扉が閉じるときには、バルブ手段３２は閉じて作動流体をコンパートメント２４からダクト１２０、１３０および１５０に強制的に流入させる。
【００８１】
バルブ手段３２は、逆に作動してもよいし、存在しなくてもよく、添付の特許請求の範囲から逸脱することなく、上記と逆の方法で、オイルが一方のコンパートメントから他方のコンパートメントに流れることができることが理解される。
【００８２】
上記の場合、特にダクト１２０に関して、開口１２１は、コンパートメント２４からの作動流体の入口を画定し、開口１２２は、ダクト１２０の出口を画定する。出口１２２を通過した作動流体は、管状空洞２９を通って戻り、可変容積コンパートメント２３に流入することは明らかである。
【００８３】
開口１２１を通る作動流体の流通は、選択的なタイプのものであってもよく、すなわち、特定の条件の発生時にのみ発生する。
【００８４】
この目的のために、開口１２１と相互作用して、開口１２１を常時閉（ノーマルクローズ）状態に保つバルブ手段２００が設けられてもよい。
【００８５】
より詳細には、バルブ手段２００はストッパ２１０を含むことができ、ストッパ２１０は、ストッパ２１０を受容するための座部を画定する、ダクト１２０の拡大部分１２３に挿入される。このような座部１２３に対応して、貫通孔１２４’が設けられ、ストッパ２１０が封止挿入されてもよい。
【００８６】
好適であるが排他的でない実施例では、ストッパ２１０は、座部１２３の対応する相補的形状部分１２４に連結して開口１２１を閉鎖することができる成形中央部分２１２を有する長形本体２１１を含むまたはのみから成ることができる。
【００８７】
さらに、長形本体２１１は、成形部分２１２が開口１２１を閉鎖するときに、コンパートメント２４内に配置できる第１端部分２１３を含むことができる。
【００８８】
さらに、長形本体２１１は、封止Ｏリング２１を受容することができる環状突出部２１５を含む、第１端部分２１３に対向する端部分２１４を含むことができる。端部分２１４は、スプリング２０１に当接してもよい。
【００８９】
好適には、ストッパ２１０とプランジャ部材３０は、プランジャ部材３０が閉鎖しているとき、例えばストロークの第１ステップに対応する、プランジャ部材３０のストロークの第１部分のために、それらが相互に離隔したままであり（図１Ｃ）、プランジャ部材３０のストロークの第２部分のために、プランジャ部材３０がストッパ２１０の第１端部分２１３に作用して開口１２１（図２Ｃ〜図３Ｃ）を開くような、空間的（位置的）関係であってもよい。
【００９０】
これにより、閉鎖要素Ｄを閉位置に向かって移動させるコンパートメント２４内の作動流体の突然の流れが引き起こされる。
【００９１】
明らかに、バルブ手段２００およびプランジャ部材３０を適切に寸法決めすることによって、開口１２１が開放される位置、従って閉鎖要素Ｄが閉位置に移動する角度位置を調整することが可能である。
【００９２】
このような特徴により、ヒンジ本体に孔を開けることなく、簡単かつ実際的な方法で閉鎖要素のラッチを得ることが可能である。従って、直径および長さの両方において、非常に小型のヒンジを得ることが可能である。
【００９３】
好適には、スプリング２０１に作用して操作者がその予荷重、ひいてはその弾性力を調整することを可能にする調整グレーン（adjustment grain）２０２を設けてもよい。
【００９４】
好適ではあるが排他的でない実施例において、長形本体２１１は、チャネル２１７を内部に含み、開口１２１が閉鎖しているとき、ダクト１２０を通してコンパートメント２３および２４を流体連通状態に維持することができる。
【００９５】
内側チャネル２１７は、第１端部分２１３に前記コンパートメント２４と流体連通しているポート２１８と、座部１２３と流体連通しているポート２１９とを含むことができる。
【００９６】
内側チャネル２１７は、ストッパ２１０が開口１２１に押し付けられたままであることを可能にする。実際には、開口１２１が閉鎖されるとき、下端部分２１４に作用する圧力は、実際上、上端部分２１３に作用する圧力よりも大きい。従って、作動流体の圧力は、プランジャ部材３０がストッパ２１０に衝突して開口１２１を開けるまで、開口１２１を閉じたままにする。そのような場合、スプリング２０１は、プランジャ部材３０の動作が終了すると、ストッパ２１０を開口１２１に抗して戻すことができる復元スプリングとすることができる。
【００９７】
ストッパ２１０が内側チャネルを有さない実施形態では、ストッパ２１０は、スプリング２０１によって開口１２１に弾性的に押し付けられてもよいことが理解される。そのような場合、スプリング２０１はスラストスプリングであってもよい。
【００９８】
有利には、調整要素１０３は、ダクト１２０に挿入することができ、ダクト１２０と相互作用する、好適には円錐台形状を有する端部１０４と、作動流体が通る断面（断面積）を調整するために使用者が外部から操作可能な端部１０５とを有する。
【００９９】
従って、調整要素１０３は、閉鎖要素Ｄが閉位置に向かってラッチする強度を調節することができる。
【０１００】
添付の図面では、２つの調整要素１０３および１７０は、軸Ｘに実質的に平行であるが、添付の特許請求の範囲の保護の範囲から逸脱することなく、軸Ｘに実質的に垂直であってもよい。
【０１０１】
従って、調整要素１０３は、閉鎖要素Ｄの閉速度または開速度を調整することができ、調整要素１７０は、閉鎖要素Ｄのラッチの閉位置または開位置に向けたラッチ力を調整し得る。
【０１０２】
さらに、ダクト１３０、１２０、１５０はまた、相互に非整列であってもよい。
【０１０３】
これにより、２つの調整要素１０３、１７０、過圧バルブ手段１４０およびバルブ手段２００が極めて狭い空間に存在することが可能になる。
【０１０４】
上述したように、閉止キャップ２７は、過圧バルブ手段１４０により非常に安全なヒンジ装置を得ることを可能にし、非常に小さな空間を必要とする調整要素１０３、１７０により速度およびラッチの両方において容易に調整できる。
【０１０５】
閉止キャップ２７およびそれぞれの管状壁部２８は製造が容易であり、特別な製造を必要としない。
【０１０６】
さらに、上記の特徴のおかげで、非常に小型のヒンジを得ることが可能である。
【０１０７】
上記について、本発明が意図された目的を満たすことは明らかである。
【０１０８】
本発明は、添付の特許請求の範囲に記載されている本発明の概念の範囲内にある多くの修正および変形が可能である。すべての詳細は、他の技術的に均等な要素によって置き換えられてもよく、材料は、添付の特許請求の範囲に定義された本発明の保護の範囲から逸脱することなく、要件に応じて異なることができる。
【図１Ａ】
2019513927.tif 000003
【図１Ｂ】
2019513927.tif 000004
【図１Ｃ】
2019513927.tif 000005
【図２Ａ】
2019513927.tif 000006
【図２Ｂ】
2019513927.tif 000007
【図２Ｃ】
2019513927.tif 000008
【図３Ａ】
2019513927.tif 000009
【図３Ｂ】
2019513927.tif 000010
【図３Ｃ】
2019513927.tif 000011
【図４】
2019513927.tif 000012
【国際調査報告】
2019513927.tif 000013
2019513927.tif 000014